(57)【要約】【課題】光源が点灯を開始するまでの時間を短縮することが可能なプロジェクタ、光源点灯装置及びプロジェクタの制御方法を提供する。【解決手段】ＬＵＴ２１ｃは、平均実績始動回数と平均実績始動時間の２つを入力として、最大始動時間を出力とする２次元のルックアップテーブルであり、平均実績始動回数が多い場合ほど最大始動時間が長くなるとともに、平均実績始動時間が長い場合ほど最大始動時間が長くなるように設定されている。そして、制御部２０は、このＬＵＴ２１ｃによって新たな最大始動時間を導いた後、記憶部２１の始動条件保存部２１ａに記憶されている最大始動時間を、新たな最大始動時間に書き替える。これにより、次回、光源ランプ１１ａを点灯（始動）させる際には、更新された最大始動時間で始動動作が行われることになる。【選択図】図１
2010170120.tif 000002
【特許請求の範囲】
【請求項１】
光源から射出された光を変調して投写するプロジェクタであって、
前記光源の点灯を開始させるための始動動作を行う光源点灯装置と、
前記始動動作によって前記光源が点灯した際の実績情報を保存する実績情報保存部と、
前記実績情報保存部に保存されている前記実績情報に基づいて、以降の前記始動動作における動作条件を調整する始動条件調整部と、
を備えたことを特徴とするプロジェクタ。
【請求項２】
請求項１に記載のプロジェクタであって、
前記光源点灯装置は、１回の前記始動動作で前記光源が点灯しない場合には、前記始動動作を複数回繰り返し、
前記実績情報保存部は、前記光源が点灯するまでに要した前記始動動作の回数を、前記実績情報として保存することを特徴とするプロジェクタ。
【請求項３】
請求項２に記載のプロジェクタであって、
前記始動条件調整部は、前記始動動作の回数が多い場合ほど、１回あたりの前記始動動作の時間を長くすることを特徴とするプロジェクタ。
【請求項４】
請求項１に記載のプロジェクタであって、
前記光源点灯装置は、１回の前記始動動作で前記光源が点灯しない場合には、前記始動動作を複数回繰り返し、
前記実績情報保存部は、前記光源が点灯した際の始動動作を開始してから前記光源が点灯するまでに要した時間を、前記実績情報として保存することを特徴とするプロジェクタ。
【請求項５】
請求項４に記載のプロジェクタであって、
前記始動条件調整部は、前記光源が点灯するまでに要した時間が長い場合ほど、１回あたりの前記始動動作の時間を長くすることを特徴とするプロジェクタ。
【請求項６】
請求項１〜５のいずれか１項に記載のプロジェクタであって、
前記実績情報保存部は、前記実績情報を累積的に保存し、
前記始動条件調整部は、累積的に保存された複数の前記実績情報に基づいて、前記動作条件を調整することを特徴とするプロジェクタ。
【請求項７】
光源の点灯を開始させるための始動動作を行う光源点灯装置であって、
前記始動動作によって前記光源が点灯した際の実績情報を保存する実績情報保存部と、
前記実績情報保存部に保存されている前記実績情報に基づいて、以降の前記始動動作における動作条件を調整する始動条件調整部と、
を備えたことを特徴とする光源点灯装置。
【請求項８】
光源から射出された光を変調して投写するプロジェクタの制御方法であって、
前記光源の点灯を開始させるための始動動作を行う光源点灯ステップと、
前記始動動作によって前記光源が点灯した際の実績情報を保存する実績保存ステップと、
前記実績保存ステップで保存された前記実績情報に基づいて、以降の前記始動動作における動作条件を調整する始動条件調整ステップと、
を備えたことを特徴とするプロジェクタの制御方法。
【発明の詳細な説明】
【技術分野】
【０００１】
本発明は、光源から射出された光を変調して投写するプロジェクタ、光源点灯装置及びプロジェクタの制御方法に関する。
【背景技術】
【０００２】
放電型の光源ランプから射出された光を変調して投写するプロジェクタには、光源点灯装置が備えられており、この光源点灯装置が所定の始動動作（イグニッションパルスの印加）を行うことにより、光源ランプの点灯が開始する（例えば、特許文献１参照）。始動動作を所定の時間続けた後も光源ランプが点灯しない場合には、光源点灯装置は、所定の休止時間（インターバル）を経た後に再度始動動作を行い、これを光源ランプが点灯するまで繰り返す。このため、始動動作の各種条件（印加電圧、パルス幅、１回あたりの印加時間、インターバルの時間等）は、始動動作を何度も繰り返すことがないよう、実験結果等に基づいた最適な条件に設定されている。
【先行技術文献】
【特許文献】
【０００３】
【特許文献１】特開２００８−１２３７８５号公報
【発明の概要】
【発明が解決しようとする課題】
【０００４】
しかしながら、光源ランプを点灯させるための最適な条件は、光源ランプや光源点灯装置の特性のばらつき（個体差）、経時変化、或いは動作環境等によって異なるため、プロジェクタの個体によっては、始動動作を何度も繰り返さなければならない事態が生じ得る。この場合には、光源ランプが点灯するまでに多くの時間を費やしてしまい、ユーザを待たせてしまうことになる。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源から射出された光を変調して投写するプロジェクタであって、前記光源の点灯を開始させるための始動動作を行う光源点灯装置と、前記始動動作によって前記光源が点灯した際の実績情報を保存する実績情報保存部と、前記実績情報保存部に保存されている前記実績情報に基づいて、以降の前記始動動作における動作条件を調整する始動条件調整部と、を備えたことを特徴とする。
【０００７】
このプロジェクタによれば、始動動作によって光源が点灯した際の実績情報に基づいて、始動条件調整部が以降の始動動作における動作条件を調整するため、実際の始動動作の実績に基づいた好適な始動条件で以降の始動動作を行うことが可能になり、光源が点灯を開始するまでの時間を短縮することが可能となる。
【０００８】
［適用例２］上記適用例に係るプロジェクタにおいて、前記光源点灯装置は、１回の前記始動動作で前記光源が点灯しない場合には、前記始動動作を複数回繰り返し、前記実績情報保存部は、前記光源が点灯するまでに要した前記始動動作の回数を、前記実績情報として保存するようにしてもよい。
【０００９】
［適用例３］上記適用例に係るプロジェクタにおいて、前記始動条件調整部は、前記始動動作の回数が多い場合ほど、１回あたりの前記始動動作の時間を長くすることが望ましい。
【００１０】
このプロジェクタによれば、始動条件調整部は、始動動作の回数が多い場合ほど、１回あたりの始動動作の時間を長くする。つまり、始動動作の回数が比較的多い場合、即ち始動動作を行っても光源が点灯しない回数が多い場合には、１回あたりの始動動作の時間が長くなるため、１回の始動動作の間に点灯に至る確率が高まり、光源が点灯を開始するまでの時間を短縮することが可能となる。一方、始動動作の回数が比較的少ない場合、即ち光源の点灯性が比較的良好な場合には、１回あたりの始動動作の時間が短くなるため、１回の始動動作で偶発的に非点灯となった場合でも即座に次の始動動作が開始するようになり、この場合にも、光源が点灯を開始するまでの時間を短縮することが可能となる。
【００１１】
［適用例４］上記適用例に係るプロジェクタにおいて、前記光源点灯装置は、１回の前記始動動作で前記光源が点灯しない場合には、前記始動動作を複数回繰り返し、前記実績情報保存部は、前記光源が点灯した際の始動動作を開始してから前記光源が点灯するまでに要した時間を、前記実績情報として保存するようにしてもよい。
【００１２】
［適用例５］上記適用例に係るプロジェクタにおいて、前記始動条件調整部は、前記光源が点灯するまでに要した時間が長い場合ほど、１回あたりの前記始動動作の時間を長くすることが望ましい。
【００１３】
このプロジェクタによれば、始動条件調整部は、光源が点灯した際の始動動作を開始してから光源が点灯するまでに要した時間（実績始動時間）が長い場合ほど、１回あたりの始動動作の時間を長くするため、点灯までに要する時間が比較的長い傾向にある光源であっても、始動動作の時間が不足して非点灯になってしまうことが抑制される。この結果、１回の始動動作の間に点灯に至る確率が高まり、光源が点灯を開始するまでの時間を短縮することが可能となる。一方、実績始動時間が比較的短い場合には、１回あたりの始動動作の時間が短くなるため、点灯までに要する時間が比較的短い傾向にある光源が偶発的に非点灯となった場合でも、即座に次の始動動作が開始するようになり、光源が点灯を開始するまでの時間を短縮することが可能となる。
【００１４】
［適用例６］上記適用例に係るプロジェクタにおいて、前記実績情報保存部は、前記実績情報を累積的に保存し、前記始動条件調整部は、累積的に保存された複数の前記実績情報に基づいて、前記動作条件を調整することが望ましい。
【００１５】
このプロジェクタによれば、始動条件調整部は、累積的に保存された複数の実績情報に基づいて動作条件を調整するため、１回の実績情報のみに基づく場合に比べて、偶発的な実績による影響を低減することが可能となる。
【００１６】
［適用例７］本適用例に係る光源点灯装置は、光源の点灯を開始させるための始動動作を行う光源点灯装置であって、前記始動動作によって前記光源が点灯した際の実績情報を保存する実績情報保存部と、前記実績情報保存部に保存されている前記実績情報に基づいて、以降の前記始動動作における動作条件を調整する始動条件調整部と、を備えたことを特徴とする。
【００１７】
この光源点灯装置によれば、始動動作によって光源が点灯した際の実績情報に基づいて、始動条件調整部が以降の始動動作における動作条件を調整するため、実際の始動動作の実績に応じた動作条件で以降の始動動作を行うことが可能となる。この結果、光源が点灯しやすくなり、光源が点灯を開始するまでの時間を短縮することが可能となる。
【００１８】
［適用例８］本適用例に係るプロジェクタの制御方法は、光源から射出された光を変調して投写するプロジェクタの制御方法であって、前記光源の点灯を開始させるための始動動作を行う光源点灯ステップと、前記始動動作によって前記光源が点灯した際の実績情報を保存する実績保存ステップと、前記実績保存ステップで保存された前記実績情報に基づいて、以降の前記始動動作における動作条件を調整する始動条件調整ステップと、を備えたことを特徴とする。
【００１９】
このプロジェクタの制御方法によれば、始動動作によって光源が点灯した際の実績情報に基づいて、以降の始動動作における動作条件を調整するため、実際の始動動作の実績に応じた動作条件で以降の始動動作を行うことが可能となる。この結果、光源が点灯しやすくなり、光源が点灯を開始するまでの時間を短縮することが可能となる。
【００２０】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【図面の簡単な説明】
【００２１】
【図１】第１実施形態のプロジェクタの概略構成を示すブロック図。
【図２】第１実施形態のプロジェクタにおいて、光源ランプを始動させる際の制御部の動作を説明するフローチャート。
【図３】第２実施形態のプロジェクタの概略構成を示すブロック図。
【図４】第２実施形態のプロジェクタにおいて、光源ランプを始動させる際の光源制御部の動作を説明するフローチャート。
【図５】光源ランプを点灯させる際の、光源点灯装置の動作の過程を示すタイムチャート。
【発明を実施するための形態】
【００２２】
（第１実施形態）
以下、光源から射出された光を変調して投写するプロジェクタの第１実施形態について説明する。
【００２３】
図１は、本実施形態のプロジェクタの概略構成を示すブロック図である。
図１に示すように、プロジェクタ１は、画像投写部１０、制御部２０、記憶部２１、入力操作部２２、ＬＥＤ表示部２３、画像情報入力部２４、画像処理部２５、電源回路２６、光源点灯装置２７等を備えて構成されている。
【００２４】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００２７】
制御部２０は、図示しないＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行うためのタイマ２０ａが備えられている。
【００２８】
記憶部２１は、フラッシュメモリ等の書き替え可能な不揮発性のメモリにより構成されている。記憶部２１には、プロジェクタ１の動作を制御するための制御プログラムや、プロジェクタ１の動作条件等を規定する各種設定データ等が記憶（保存）されている。ここで、本実施形態の記憶部２１には、光源ランプ１１ａを始動（点灯）する際の動作条件（以降、「始動条件」と呼ぶ。）が保存されている始動条件保存部２１ａと、光源ランプ１１ａを始動させた際の実績情報が保存される実績情報保存部２１ｂと、始動条件を調整するためのＬＵＴ（Look Up Table）２１ｃとが設けられている。なお、始動条件及び実績情報の詳細については後述する。
【００２９】
入力操作部２２は、ユーザからの入力操作を受け付けるものであり、電源のオン・オフを切り替えるための電源キー等、ユーザがプロジェクタ１に対して各種指示を行うための複数の操作キーを備えている。ユーザが入力操作部２２の各種操作キーを操作すると、入力操作部２２は、この入力操作を受け付けて、ユーザの操作内容に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００３０】
ＬＥＤ表示部２３は、ＬＥＤ（発光ダイオード）を備えたインジケータであり、制御部２０の指示に基づいてその表示状態（点灯、点滅、消灯、発光色等）を切り替えることにより、ユーザにプロジェクタ１の動作状態（電源のオン・オフや異常発生等）を報知する。
【００３１】
画像情報入力部２４は、図示しない入力端子を備えており、ビデオ再生装置やパーソナルコンピュータ等、外部の画像出力装置から出力される画像情報がケーブルを介して入力される。画像情報入力部２４に入力された画像情報は、画像処理部２５に供給される。
【００３２】
画像処理部２５は、画像情報入力部２４から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２５は、制御部２０の指示に基づき、変換した画像情報に対して、明るさ、コントラスト、シャープネス、色合い等を調整するための画質調整処理や、メニュー画像やメッセージ画像等のＯＳＤ（オンスクリーンディスプレイ）画像を重畳表示するためのＯＳＤ処理等を行い、処理後の画像情報をライトバルブ駆動部１４に出力する。
【００３３】
ライトバルブ駆動部１４が、画像処理部２５から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３４】
電源回路２６には、ＡＣ１００Ｖ等の商用電源が外部から供給される。電源回路２６は、商用電源（交流電源）を所定の電圧の直流電源に変換して、プロジェクタ１の各部に電力を供給する。また、電源回路２６は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り替えることができる。
【００３５】
光源点灯装置２７は、降圧チョッパ２８と、インバータ２９と、イグナイタ３０と、点灯検知部３１とを備えて構成され、制御部２０の制御に基づいて光源１１（光源ランプ１１ａ）を点灯させる。降圧チョッパ２８は、電源回路２６からの出力電圧を降圧させてインバータ２９に出力し、インバータ２９は、降圧チョッパ２８によって降圧された直流電流を交流矩形波電流に変換する。
【００３６】
イグナイタ３０は、光源ランプ１１ａを始動（点灯）させるための始動動作を行うものであり、具体的には、光源ランプ１１ａの電極間に高電圧パルス（イグニッションパルス）を印加して絶縁破壊を発生させ、放電経路を形成する。
【００３７】
点灯検知部３１は、光源ランプ１１ａの点灯状態（点灯しているか否か）を検知するものであり、具体的には、光源ランプ１１ａが消費する電流（光源電流）に基づいて点灯状態を検知し、検知結果を制御部２０に出力する。なお、点灯状態を検知するための手段は、これに限定されず、例えば、光センサによって検知してもよいし、光源ランプ１１ａの温度を検出して点灯状態を検知するようにしてもよい。
【００３８】
イグナイタ３０が上記の始動動作（イグニッションパルスの印加）を行い、点灯検知部３１が光源ランプ１１ａの点灯を検知すると、イグナイタ３０は始動動作を停止する。そして、光源ランプ１１ａには、インバータ２９によって生成される交流矩形波電流が供給され、光源ランプ１１ａの点灯が維持される。
【００３９】
一方、始動動作を所定の時間続けたにも拘わらず、光源ランプ１１ａが点灯しない場合には、イグナイタ３０は、所定の休止時間（インターバル時間）を経た後に再度始動動作を行い、これを光源ランプ１１ａが点灯するまで繰り返す。そして、始動動作を所定の回数繰り返しても光源ランプ１１ａが点灯しない場合には、イグナイタ３０は、それ以上の始動動作を行わない。なお、本明細書では、１回の始動動作で光源ランプ１１ａが点灯しなかった場合のことを「非点灯」と呼び、始動動作を所定の回数繰り返しても点灯しなかった場合のことを「点灯失敗」と呼ぶ。
図５は、これら一連の動作を図示したものであり、光源を点灯するための処理を開始してから始動動作を３回繰り返し、３回目で光源ランプが点灯した場合を示している。
【００４０】
次に、プロジェクタ１の動作について説明する。
プロジェクタ１に商用電源が供給されると、電源回路２６は、少なくとも制御部２０、記憶部２１、入力操作部２２、ＬＥＤ表示部２３に待機電力（スタンバイ電力）の供給を行い、制御部２０は、この電力供給を受けて、制御プログラムに従った動作を開始する。商用電源が供給された直後には、プロジェクタ１は、スタンバイ状態（「電源オフ状態」ともいう。）であり、光源ランプ１１ａを消灯させた状態を維持している。そして、ユーザにより入力操作部２２の電源キーの操作（オン操作）がなされると、制御部２０は、電源回路２６に指示をして各部への動作電力の供給を開始させ、プロジェクタ１を電源オン状態に移行させるとともに、光源点灯装置２７に指示をして光源ランプ１１ａを始動させる。
【００４１】
図２は、光源ランプ１１ａを始動させる際の制御部２０の動作を説明するフローチャートである。ユーザによりオン操作がなされてプロジェクタ１が電源オン状態に移行すると、制御部２０は、図２に示すフローに従って動作する。
【００４２】
図２に示すように、ステップＳ１０１では、制御部２０は、記憶部２１の始動条件保存部２１ａに保存されている始動条件を読み出す。始動条件保存部２１ａに保存されている始動条件には、例えば、始動動作の１回あたりの継続時間（最大始動時間）、始動動作間のインターバル時間、始動動作の最大繰り返し回数（最大始動回数）等があり、制御部２０は、これらの始動条件に基づいて以降の動作を行う。なお、プロジェクタ１の出荷時点では、実験結果等に基づいた標準的な始動条件が保存されており、例えば、最大始動時間が８秒、インターバル時間が１秒、最大始動回数が５回に設定されている。
【００４３】
ステップＳ１０２では、制御部２０は、ステップＳ１０１で読み出した始動条件に基づいて、光源点灯装置２７（イグナイタ３０）に始動動作、即ち光源ランプ１１ａへのイグニッションパルスの印加を開始させる。そして、ステップＳ１０３では、制御部２０は、始動動作を開始してからの経過時間を計測するためにタイマ２０ａをリセットして計時を開始する。
【００４４】
ステップＳ１０４では、制御部２０は、点灯検知部３１の検知結果に基づいて、光源ランプ１１ａが点灯したか否かを判断する。そして、光源ランプ１１ａがまだ点灯していない場合にはステップＳ１０５に移行し、光源ランプ１１ａが点灯した場合にはステップＳ１１１に移行する。
【００４５】
光源ランプ１１ａがまだ点灯しておらずステップＳ１０５に移行した場合には、制御部２０は、始動動作を開始してからの経過時間が始動条件の最大始動時間に達したか否かを判断する。そして、最大始動時間に達した場合にはステップＳ１０６に移行し、最大始動時間に達していない場合にはステップＳ１０４に戻って光源ランプ１１ａの点灯確認を繰り返す。
【００４６】
光源ランプ１１ａが点灯しないまま最大始動時間が経過してステップＳ１０６に移行した場合には、制御部２０は、光源点灯装置２７（イグナイタ３０）に指示をして光源ランプ１１ａへの始動動作を停止させる。
【００４７】
続くステップＳ１０７では、制御部２０は、始動動作を停止させた状態で、始動条件のインターバル時間が経過するまで待機する。具体的には、タイマ２０ａをリセットして新たな計時を開始し、その経過時間がインターバル時間に達するまで待機する。
【００４８】
ステップＳ１０８では、制御部２０は、始動動作（ステップＳ１０２〜Ｓ１０６）を行った回数が始動条件の最大始動回数に達したか否かを判断する。そして、最大始動回数に達した場合にはステップＳ１０９に移行する。一方、最大始動回数に達していない場合にはステップＳ１０２に戻り、光源ランプ１１ａが点灯するまで、或いは始動動作の回数が最大始動回数に達するまで始動動作を繰り返す。
【００４９】
最大始動回数の始動動作を行ったにも拘らず光源ランプ１１ａが点灯せずにステップＳ１０９に移行した場合には、制御部２０は、電源回路２６に指示をして各部への動作電力の供給を停止させ、プロジェクタ１をスタンバイ状態に移行させる。その後、ステップＳ１１０では、制御部２０は、ＬＥＤ表示部２３を赤色で点滅させることによりユーザに点灯失敗を報知して、フローを終了する。
【００５０】
一方、始動動作によって光源ランプ１１ａが点灯してステップＳ１１１に移行した場合には、制御部２０は、始動動作を実施した回数（実績始動回数）を実績情報の１つとして記憶部２１の実績情報保存部２１ｂに保存する。なお、実績始動回数は、例えば、制御部２０のＲＡＭに一時的に記憶され、制御部２０が、本フローを実行する際にこれを０にリセットするとともに、ステップＳ１０２で始動動作を開始するたびに１ずつインクリメントすればよい。
【００５１】
続くステップＳ１１２では、制御部２０は、タイマ２０ａの計時結果に基づいて、始動動作を開始してから光源ランプ１１ａが点灯するまでに要した時間（実績始動時間）を実績情報の１つとして記憶部２１の実績情報保存部２１ｂに保存する。ここで、これらの実績情報（実績始動回数と実績始動時間）は、実績情報保存部２１ｂに累積的に保存されるようになっており、実績情報保存部２１ｂには、これまでに光源ランプ１１ａを点灯させた回数分の実績情報が蓄積されている。
【００５２】
ステップＳ１１３では、制御部２０は、実績情報保存部２１ｂに累積的に保存されている実績情報に基づいて始動条件の調整を行う。具体的には、制御部２０は、累積的に保存されている実績情報のうち、最新の１０件の実績情報（保存されている実績情報が１０件以下の場合には、すべての実績情報）を対象として、実績始動回数と実績始動時間のそれぞれの平均値（平均実績始動回数及び平均実績始動時間）を導出する。その後、制御部２０は、後述するＬＵＴ２１ｃを参照して、導出した２つの平均値から新たな始動条件（最大始動時間）を導く。
【００５３】
ＬＵＴ２１ｃは、平均実績始動回数と平均実績始動時間の２つを入力として、最大始動時間を出力とする２次元のルックアップテーブルであり、本実施形態では、平均実績始動回数が多い場合ほど最大始動時間が長くなるとともに、平均実績始動時間が長い場合ほど最大始動時間が長くなるように設定されている。
【００５４】
そして、制御部２０は、このＬＵＴ２１ｃによって新たな最大始動時間を導いた後、ステップＳ１１４では、記憶部２１の始動条件保存部２１ａに記憶されている最大始動時間を、ステップＳ１１３で導いた新たな最大始動時間に書き替えて（更新して）フローを終了する。これにより、次回、光源ランプ１１ａを点灯（始動）させる際には、更新された最大始動時間で始動動作が行われることになる。
【００５５】
ここで、上述したように、ＬＵＴ２１ｃでは、平均実績始動回数が多い場合ほど最大始動時間を長くしている。つまり、平均実績始動回数が比較的多い場合、即ち始動動作を行っても非点灯となる割合が高く、光源ランプ１１ａ点灯性が比較的悪い場合には、１回の始動動作が長く継続するようになる。このため、１回の始動動作の間に点灯に至る確率が高まり、光源ランプ１１ａが点灯を開始するまでの時間を短縮することが可能となる。一方、平均実績始動回数が比較的少ない場合、即ち光源ランプ１１ａの点灯性が比較的良好な場合には、最大始動時間が短くなる。このため、１回の始動動作で偶発的に非点灯となった場合でも即座に次の始動動作が開始するようになり、この場合にも、光源ランプ１１ａが点灯を開始するまでの時間を短縮することが可能となる。
【００５６】
さらに、ＬＵＴ２１ｃでは、平均実績始動時間が長い場合ほど最大始動時間を長くしている。このため、点灯までに要する時間が比較的長い傾向にある光源ランプ１１ａであっても、始動時間が不足して非点灯になってしまうことが抑制される。この結果、１回の始動動作の間に点灯に至る確率が高まり、光源ランプ１１ａが点灯を開始するまでの時間を短縮することが可能となる。一方、平均実績始動時間が比較的短い場合には、最大始動時間が短くなるため、点灯までに要する時間が比較的短い傾向にある光源ランプ１１ａが偶発的に非点灯となった場合でも、即座に次の始動動作が開始するようになり、光源ランプ１１ａが点灯を開始するまでの時間を短縮することが可能となる。
【００５７】
以上説明したように、本実施形態のプロジェクタ１によれば、始動動作によって光源ランプ１１ａが点灯した際の実績情報に基づいて、制御部２０が以降の始動動作における始動条件（最大始動時間）を調整するため、実際の始動動作の実績に基づいた好適な始動条件で以降の始動動作を行うことが可能になり、光源ランプ１１ａが点灯を開始するまでの時間を短縮することが可能となる。
【００５８】
また、本実施形態のプロジェクタ１によれば、累積的に保存された複数（１０件分）の実績情報に基づいて始動条件を調整するため、１回の実績情報のみに基づく場合に比べて、偶発的な実績による影響を低減することが可能となる。
【００５９】
なお、本実施形態では、制御部２０と、記憶部２１のＬＵＴ２１ｃとが始動条件調整部に相当する。
【００６０】
（第２実施形態）
図３は、本実施形態のプロジェクタ１の概略構成を示すブロック図である。
図３に示すように、本実施形態の光源点灯装置２７は、第１実施形態と同一の構成（降圧チョッパ２８、インバータ２９、イグナイタ３０、点灯検知部３１）に加えて、光源制御部３２と、情報記憶部３３とを備えている。
【００６１】
光源制御部３２は、例えば、ＣＰＵ等を備えるマイクロプロセッサであり、制御部２０との間で通信が可能になっている。そして、光源制御部３２は、制御部２０からの指示（制御コマンド）を受け、この指示に応じて光源点灯装置２７の動作を制御する。また、光源制御部３２には、時間の計測を行うためのタイマ３２ａが備えられている。
【００６２】
情報記憶部３３は、フラッシュメモリ等の書き替え可能な不揮発性のメモリにより構成されている。そして、本実施形態では、第１実施形態で記憶部２１に設けられていた始動条件保存部２１ａ、実績情報保存部２１ｂ、及びＬＵＴ２１ｃが、それぞれ始動条件保存部３３ａ、実績情報保存部３３ｂ、及びＬＵＴ３３ｃとして情報記憶部３３に設けられている。
上記以外の構成については、第１実施形態と同一である。
【００６３】
本実施形態のプロジェクタ１は、上記のように構成されており、ユーザによりオン操作がなされると、制御部２０は、電源回路２６に指示をしてプロジェクタ１を電源オン状態に移行させるとともに、光源制御部３２に制御コマンドを発行して光源ランプ１１ａを始動させる。
【００６４】
図４は、光源ランプ１１ａを始動させる際の光源制御部３２の動作を説明するフローチャートである。光源ランプ１１ａを始動させるための制御コマンドが制御部２０から入力されると、光源制御部３２は、図４に示すフローに従って動作する。
【００６５】
図４に示すように、ステップＳ２０１では、光源制御部３２は、情報記憶部３３の始動条件保存部３３ａに保存されている始動条件を読み出し、ステップＳ２０２では、読み出した始動条件に基づいて、イグナイタ３０に始動動作を開始させる。そして、ステップＳ２０３では、光源制御部３２は、始動動作を開始してからの経過時間を計測するためにタイマ３２ａをリセットして計時を開始する。
【００６６】
ステップＳ２０４では、光源制御部３２は、点灯検知部３１の検知結果に基づいて、光源ランプ１１ａが点灯したか否かを判断する。そして、光源ランプ１１ａがまだ点灯していない場合にはステップＳ２０５に移行し、光源ランプ１１ａが点灯した場合にはステップＳ２１０に移行する。
【００６７】
光源ランプ１１ａがまだ点灯しておらずステップＳ２０５に移行した場合には、光源制御部３２は、始動動作を開始してからの経過時間が始動条件の最大始動時間に達したか否かを判断する。そして、最大始動時間に達した場合にはステップＳ２０６に移行し、最大始動時間に達していない場合にはステップＳ２０４に戻って光源ランプ１１ａの点灯確認を繰り返す。
【００６８】
光源ランプ１１ａが点灯しないまま最大始動時間が経過してステップＳ２０６に移行した場合には、光源制御部３２は、イグナイタ３０に指示をして光源ランプ１１ａへの始動動作を停止させる。
【００６９】
続くステップＳ２０７では、光源制御部３２は、始動動作を停止させた状態で、始動条件のインターバル時間が経過するまで待機する。具体的には、タイマ３２ａをリセットして新たな計時を開始し、その経過時間がインターバル時間に達するまで待機する。
【００７０】
ステップＳ２０８では、光源制御部３２は、始動動作（ステップＳ２０２〜Ｓ２０６）を行った回数が始動条件の最大始動回数に達したか否かを判断する。そして、最大始動回数に達した場合にはステップＳ２０９に移行する。一方、最大始動回数に達していない場合にはステップＳ２０２に戻り、光源ランプ１１ａが点灯するまで、或いは始動動作の回数が最大始動回数に達するまで始動動作を繰り返す。
【００７１】
最大始動回数の始動動作を行ったにも拘らず光源ランプ１１ａが点灯せずにステップＳ２０９に移行した場合には、光源制御部３２は、点灯失敗である旨の応答を制御部２０に通知してフローを終了する。制御部２０は、この応答を受けると、電源回路２６に指示をして各部への動作電力の供給を停止させ、プロジェクタ１をスタンバイ状態に移行させるとともに、ＬＥＤ表示部２３を赤色で点滅させることによりユーザに点灯失敗を報知する。
【００７２】
一方、始動動作によって光源ランプ１１ａが点灯してステップＳ２１０に移行した場合には、光源制御部３２は、始動動作を実施した回数（実績始動回数）を実績情報の１つとして情報記憶部３３の実績情報保存部３３ｂに保存する。
【００７３】
続くステップＳ２１１では、光源制御部３２は、タイマ３２ａの計時結果に基づいて、ステップＳ２０２で始動動作を開始してから光源ランプ１１ａが点灯するまでに要した時間（実績始動時間）を実績情報の１つとして情報記憶部３３の実績情報保存部３３ｂに保存する。第１実施形態と同様、これらの実績情報（実績始動回数と実績始動時間）は、実績情報保存部３３ｂに累積的に保存されるようになっており、実績情報保存部３３ｂには、これまでに光源ランプ１１ａを点灯させた回数分の実績情報が蓄積されている。
【００７４】
ステップＳ２１２では、光源制御部３２は、実績情報保存部３３ｂに累積的に保存されている実績情報に基づいて始動条件の調整を行う。具体的には、光源制御部３２は、第１実施形態と同様、累積的に保存されている実績情報のうち、最新の１０件の実績情報を対象として、実績始動回数と実績始動時間のそれぞれの平均値を導出し、その後、ＬＵＴ３３ｃを参照して、導出した２つの平均値から新たな始動条件（最大始動時間）を導く。
【００７５】
ステップＳ２１３では、光源制御部３２は、情報記憶部３３の始動条件保存部３３ａに記憶されている最大始動時間を、ステップＳ２１２で導いた新たな最大始動時間に書き替える（更新する）。これにより、次回、光源ランプ１１ａを点灯（始動）させる際には、更新された最大始動時間で始動動作が行われることになる。
【００７６】
ステップＳ２１４では、光源制御部３２は、光源ランプ１１ａの始動が正常に完了した旨の応答を制御部２０に通知して、フローを終了する。
【００７７】
以上説明したように、本実施形態のプロジェクタ１によれば、第１実施形態と同様の効果を得ることができる。また、本実施形態では、光源点灯装置２７に備わる光源制御部３２が、実績情報に基づいて次回の始動条件を調整するようにしているため、この光源点灯装置２７をプロジェクタ１以外の他の機器に搭載すれば、当該機器においても同様の効果を得ることが可能となる。
【００７８】
なお、本実施形態では、光源制御部３２と、情報記憶部３３のＬＵＴ３３ｃとが始動条件調整部に相当する。
【００７９】
（変形例）
なお、上記実施形態は、以下のように変更してもよい。
【００８０】
上記実施形態では、実績情報として実績始動回数と実績始動時間の双方を保存するようにしているが、いずれか一方のみを保存するようにして、その一方のみに基づいて始動条件を調整するようにしてもよい。また、光源ランプ１１ａに印加される電圧や電流をモニタするようにすれば、これらを実績情報とすることも可能である。
【００８１】
上記実施形態では、始動条件のうち、最大始動時間のみを調整の対象としているが、他の始動条件（例えば、インターバル時間、最大始動回数、印加電圧等）を、実績情報に基づいて調整するようにしてもよい。
【００８２】
上記実施形態では、最新の１０件分の実績情報を対象にして平均をとっているが、対象とする実績情報の数は、１０件に限られず、１１件以上でも９件以下であってもよい。また、始動条件を調整するために導出する平均値は、一般的な相加平均であってもよいが、最新の実績情報ほど大きな重みを加えた加重平均とすれば、光源ランプ１１ａ等の経時変化や環境の変化等をより強く反映させた調整が可能になる。また、平均値の代わりに、最頻値や中央値等、他の統計量を用いてもよいし、最新の１件の実績情報のみに基づいて調整するようにしてもよい。
【００８３】
上記実施形態では、最新の１０件分の実績情報に基づいて始動条件の調整を行っているため、それよりも古い実績情報は必ずしも保存しておく必要はない。ただし、点検や修理を行う際の履歴の確認等に役立つことから、すべての実績情報を保存したままにしておくことが望ましい。
【００８４】
上記実施形態では、ＬＵＴ２１ｃ，３３ｃを用いて始動条件の調整を行っているが、この態様に限定されず、演算等によって始動条件を導くようにしてもよい。例えば、平均実績始動回数の増減に応じて、最大始動時間を所定時間（例えば、０．５秒）だけ増減させたり、平均実績始動時間の増減に応じて、最大始動時間を所定時間（例えば、０．５秒）だけ増減させたりすることも可能である。
【００８５】
上記実施形態において、光源ランプ１１ａの寿命（ランプ切れ）等によって光源１１を交換した際には、実績情報保存部２１ｂ，３３ｂに保存されている実績情報をクリア（消去）することが望ましい。ここで、実績情報をクリアするための操作を不要とするために、実績情報保存部を光源１１に搭載するようにしてもよい。
【００８６】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００８７】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８８】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…タイマ、２１…記憶部、２１ａ…始動条件保存部、２１ｂ…実績情報保存部、２１ｃ…ＬＵＴ、２２…入力操作部、２３…ＬＥＤ表示部、２４…画像情報入力部、２５…画像処理部、２６…電源回路、２７…光源点灯装置、２８…降圧チョッパ、２９…インバータ、３０…イグナイタ、３１…点灯検知部、３２…光源制御部、３２ａ…タイマ、３３…情報記憶部、３３ａ…始動条件保存部、３３ｂ…実績情報保存部、３３ｃ…ＬＵＴ、Ｓ…投写面。
【図１】
2010170120.tif 000003
【図２】
2010170120.tif 000004
【図３】
2010170120.tif 000005
【図４】
2010170120.tif 000006
【図５】
2010170120.tif 000007